(57)【要約】【課題】原稿に付加されたＲＦＩＤ内のコピー禁止の情報読み込んでコピー動作を禁止することが可能であるが、複数の原稿で構成された媒体に１つのＲＦＩＤが付加されているような場合、本全体を印刷させるか否かの選択しかできず設定の自由度が著しく低いという問題がある。【解決手段】ＲＦＩＤにブロックセレクションの種類毎のコピー禁止、許可の属性を設定することで、より自由度の高い複写制限を行い、また、ユーザのＩＤカードと組み合わせることで、ユーザ毎にブロックセレクションの種類に応じた複写制限を行う。【選択図】        図１
2007043288.tif 000002
【特許請求の範囲】
【請求項１】
画像情報を持つ構成される印刷媒体と、機械読み取り可能な識別子と、画像形成装置とからなる画像出力システムであって、
前記識別子は、印刷情報を保持し、
前記画像形成装置は、前記印刷媒体に印刷された画像情報を読み取る読み取り手段と、前記印刷情報に基づいて前記読み取られた画像情報の読み取り情報に対して所定の処理を行う画像処理手段と、前記処理が行われた画像情報を出力する画像出力手段、とを具備することを特徴とする画像形成装置。
【請求項２】
前記識別子は、前記印刷媒体に印刷又は物理的に付加されていることを特徴とする、請求項１記載の画像形成装置。
【請求項３】
前記識別子は、非接触で読み取り可能なＲＦＩＤであることを特徴とする、請求項１または２に記載の画像形成装置。
【請求項４】
前記画像読み取り手段は、ブロックセレクション機能を備えていることを特徴とする請求項１から３いずれかに記載の画像形成装置。
【請求項５】
前記印刷情報は、前記ブロックセレクション機能により取得した複数の選択領域またはオブジェクトに対する複写制限情報であることを特徴とする、請求項１から４いずれかに記載の画像形成装置。
【請求項６】
前記所定の処理は、前記印刷情報に基づき、前記読み取り情報内の特定領域または特定オブジェクトの出力可否を判定し、出力可否判定結果を前記画像出力手段へ通知することを特徴とする、請求項１から５いずれかに記載の画像形成装置。
【請求項７】
前記画像出力手段は、前記出力可否判定結果に基づき前記読み取り情報の特定領域または特定オブジェクトの出力を禁止し、前記特定領域または特定オブジェクト以外の読み取り情報を出力することを特徴とする、請求項１から６いずれかに記載の画像形成装置。
【請求項８】
複写作業を行う個人を識別する個人ＩＤと、前記個人ＩＤを読み取る個人ＩＤ読み取り装置とを備えることを特徴とする、請求項１から７いずれか記載の画像生成装置。
【発明の詳細な説明】
【技術分野】
【０００１】
本発明は画像形成装置に関し、特に媒体に付加された識別子を用いた複写領域の制御方法及び画像処理装置に関する。
【背景技術】
【０００２】
オフィスにおけるドキュメントハンドリングにおいてセキュリティを保つために、複写制限等のセキュリティ情報をドキュメント自身に持たせるために、ドキュメント毎にＲＦＩＤ等の識別子を付加し、該ＲＦＩＤ内に複写制限情報等を格納したものがある。
【０００３】
この識別子付きドキュメントを複写する際に、専用の識別子読み取り装置を用いることで識別子内の複写制限情報を読み取り、該ドキュメントの部分複写や、複写行為の禁止等の複写制限が可能である。
【０００４】
例えば、特許文献１においては、識別子として非接触で読み取り可能なＩＣチップをドキュメントに付加し、ＩＣチップ内に複写制限情報としてドキュメント上において複写が禁止される特定領域を示すレイアウト情報を格納しておき、複写時には該特定領域の文字情報及び画像情報を削除する機能が示されている。
【特許文献１】特開２００４−８８５８６号公報
【特許文献２】特開平６−０６８３０１号公報
【発明の開示】
【発明が解決しようとする課題】
【０００５】
印刷媒体である本や雑誌等の各ページにＲＦＩＤ等の識別子を付加することはコスト面の問題から難しく、現状媒体に付き１つ程度付加されている。このように１つの識別子が付加された印刷媒体において、識別子内に格納された複写制限情報を用いて複写制限を行う場合、従来は印刷媒体全体を複写させるか否かの選択しかできないため複写制限の自由度が大きく低減してしまう、といった問題があった。
【０００６】
本発明は、以上の点に着目して成されたもので、印刷媒体に１つの識別子のみ付加されている場合においても、自由度の高い複写制限が可能となり、また、複写制限情報を個人ＩＤと組み合わせることで個人毎の複写制限管理も容易に実施可能となる画像形成装置を提供することを目的とする。
【課題を解決するための手段】
【０００７】
上記問題を解決するために、本発明では、画像及び文字情報が印刷された印刷媒体と、機械読み取り可能な識別子と、画像形成装置とからなる画像出力システムであって、前記識別子は、印刷情報を保持し、前記画像形成装置は、前記印刷媒体に印刷された画像及び文字情報を読み取る読み取り手段と、前記印刷情報に基づいて前記読み取られた画像及び文字情報の読み取り情報に対して所定の処理を行う処理手段と、前記処理が行われた画像を及び文字情報を出力する出力手段、とを具備することを特徴とする。
【発明の効果】
【０００８】
本発明によれば、印刷媒体に１つの識別子のみ付加されている場合においても、自由度の高い複写制限が可能となる。また、複写制限情報を個人ＩＤと組み合わせることで個人毎の複写制限管理も容易に実施可能となる。
【発明を実施するための最良の形態】
【０００９】
以下、この発明の好適な実施の形態について図面を参照しながら例示的に詳しく説明する。ただし、この実施の形態に記載されている構成要素はあくまで例示であり、この発明の範囲をそれらのみに限定する趣旨のものではない。
【実施例】
【００１０】
（第１の実施形態）
図１は、第１の実施形態における画像形成装置の構成を示すブロック図である。
【００１１】
図１において、１００は画像読み取り手段であり、文書原稿等の印刷媒体を設置するための原稿台、光学的に読み取るスキャナ等で構成される。１０１は中央処理手段であり、不図示のＣＰＵ、ＲＯＭ、ＲＡＭを備えており、前記ＲＯＭに格納された制御プログラムを実行することにより、ブロックセレクション処理を行う画像処理手段１０２と機器の動作の指示を行う処理手段１０３の動作機能を実現する。１０４は画像出力手段であり、プリンタ等を備える。１０５は記憶手段であり、不図示のハードディスク等の記憶媒体から構成され、画像読み取り手段１００で読み取った画像情報を記憶する。１０６はＲＦＩＤタグ読み取り手段であり、印刷媒体に付加されている識別子であるＲＦＩＤタグ内に格納された情報を非接触で読み取ることが出来る。１０７はローカルバスであり、前記各手段を相互に接続する。ここで、画像処理手段１０２で実行されるブロックセレクション処理は、画像データを、文字領域、図形、表等の属性ごとに領域を分割する画像処理方法であり、特許文献２等で詳説される周知の技術である。
【００１２】
図２、図３を用いて印刷媒体に付加されたＲＦＩＤタグと前記ＲＦＩＤタグ読み取り手段１０６との通信方法を説明する。
【００１３】
図２は印刷媒体に付加されたＲＦＩＤの内部構成を示すブロック図である。
【００１４】
ＲＦＩＤは、不揮発性メモリ２０１と、電波を送受信するためのアンテナ部２０２と、共振コンデンサ部２０３と、電源の整流・平滑を行うための電力形成部２０４と、電波の変調、復調を行うための復変調部２０５と、制御部２０６とから構成される。
【００１５】
２０２のアンテナ部は、２０３の共振コンデンサと組み合わされ、共振回路を構成できるようになっている。外部から電力を供給するための電波信号が送られることにより、これを共振回路で受け取って、前記２０４に示される電力形成部へ供給し、２０４の電力生成部はＲＦＩＤを動作させるための電力を供給することが可能となる。前記電力は、２０１の不揮発性メモリや、２０５の復変調回路へ供給される。２０６の制御部は、ＲＦＩＤの制御を行うためのものである。
【００１６】
外部から、電力を供給するための電波とあわせて、ＲＦＩＤから読み出す、または書き着込むためのデータも同時に送受信され、送られてきた信号は、２０５の復変調回路によって、復調され２０６の制御部を介して、２０１の不揮発性メモリへ記憶される。また、２０６の制御部によって、２０１の不揮発性メモリから読み出されたデータは、２０５の復変調回路によって変調され、２０２のアンテナ部から電波信号として送信可能である。
【００１７】
図３は前記ＲＦＩＤ読み取り手段１０６内のＲＦＩＤ通信インターフェイス及び通信アンテナの構成を示すブロック図であり、この図を用いて印刷媒体に付加されたＲＦＩＤからの情報の読み取り、または書き込み動作の詳細な説明を行う。
【００１８】
ＲＦＩＤ通信インターフェイスは、ＲＦＩＤに対して電波を送信するための送信アンテナ部３０１と、送信アンテナから送信する電波の変調を行うための変調回路３０２と、ＲＦＩＤから送られてくる電波を受信するための受信アンテナ部３０３、受信アンテナ部３０３より受信した信号を復調するための復調回路３０４、また３０１の送信アンテナ部と、３０２の変調回路、３０３の受信アンテナ部、３０４の復調回路を制御するための制御部３０５と、上位機器との通信を行うために前記ローカルバス１０７と接続されるＩ／Ｆ部３０６と、送信アンテナ部３０１に接続され、ＲＦＩＤへの電力供給を行う電源３０７から構成される。
【００１９】
前記制御部３０５は、外部からの指示により３０２の変調回路を用いて電力を供給するための電波および、送信するデータを変調して、３０１の送信アンテナ部より外部へ電波を送信する。また、外部より受信した電波信号を、３０３の受信アンテナ部で受信して、３０４の復調回路によって復調したのち、データ信号として扱えるように変換することが可能である。
【００２０】
図４は、印刷媒体に付加された識別子であるＲＦＩＤタグ内に格納されている複写制限情報４００の構成例を示している。ブロックセレクション取得属性４０１は、読み取り画像に対して前記画像処理手段１０４においてブロックセレクション処理を行うことで取得した属性の種類を示している。４０２は複写制限情報であり、ブロックセレクション取得属性４０１の各属性に対する複写の可否を示している。前記複写制限情報４０２が、あり、の場合は該当属性の複写出力が不可であり、前記複写制限情報４０２が、なし、の場合は該当属性の複写出力が可能となる。
【００２１】
次に、図５に示すフローチャートに基づき、本発明の動作を詳細に説明する。
【００２２】
ステップＳ４００において、ＲＦＩＤタグが付加された印刷媒体を前記画像読み取り手段１００にセットし読み込み準備を行う。次に、ステップＳ４０１において、本発明に画像形成装置のユーザーインターフェース部に備えられている複写開始ボタンを押下することにより複写動作を開始する。ステップＳ４０１の操作をトリガーとして、ステップＳ４０２では前記画像読み取り手段１００において、印刷媒体の画像読み取りを行う。読み込まれた画像は前記記憶手段１０５に格納される。そして、前記画像処理手段１０２においてブロックセレクション処理を実行し、前記処理により読み取った画像内に存在する属性の種類を前記記憶手段１０５へ格納する。
【００２３】
続いて、ステップＳ４０３において印刷媒体に付加された識別子であるＲＦＩＤタグに格納されている前記複写制限情報５００の読み取りを前記ＲＦＩＤ読み取り手段１０６において行う。ステップＳ４０４では、前記複写制限情報を前記処理手段１０３において解析し、複写制限の有る場合はステップＳ４０５において該当属性を前記記憶手段１０５に格納してある画像から削除する。複写制限のない属性に関しては削除処理を行わない。そして、ステップＳ４０６において前記記憶手段１０５内の画像を前記画像出力手段１０４において複写出力し動作終了とする。
【００２４】
以上説明したように、第１の実施形態によればブロックセレクション処理により取得した属性に応じて印刷媒体を構成する何れのページに関する複写制御が実行でき、印刷媒体に識別子が１つのみ付加されている場合においてもより自由度の高い複写制御が可能となる。
【００２５】
（第２の実施形態）
以下、本発明の第２の実施形態を説明する。
【００２６】
本発明の第２の実施形態では、上述した第１の実施形態において、複写作業を行う個人を識別する個人ＩＤと、前記個人ＩＤを読み取る個人ＩＤ読み取り装置とを設けたものである。
【００２７】
図６は、第２の実施形態における画像形成装置の構成を示すブロック図である。第１の実施形態における画像形成装置の構成に、新たに個人ＩＤ読み取り手段１０８を設けることを特徴とする。個人ＩＤ内にブロックセレクション処理により取得する属性に対する複写制限情報を格納しておくことにより、複写を行う個人毎に前記属性の複写制限をより柔軟に行うことが可能となる。
【図面の簡単な説明】
【００２８】
【図１】本発明の第１の実施形態における画像形成装置の構成図である。
【図２】本発明で用いる識別子であるＲＦＩＤタグの構成図である。
【図３】本発明で用いるＲＦＩＤタグ読み取り装置内にあるＲＦＩＤインターフェイスを示す図である。
【図４】本発明で用いるブロックセレクション処理で取得する属性毎の複写制限情報を示す図である。
【図５】本発明の動作を説明するフローチャートである。
【図６】本発明の第２の実施形態における画像形成装置の構成図である。
【符号の説明】
【００２９】
１００  画像読み取り手段
１０１  中央処理手段
１０２  画像処理手段
１０３  処理手段
１０４  画像出力手段
１０５  記憶手段
１０６  ＲＦＩＤタグ読み取り手段
１０７  ローカルバス
１０８  個人ＩＤ読み取り手段
２０１  不揮発性メモリ
２０２  アンテナ部
２０３  共振コンデンサ
２０４  電力形成部
２０５  復変調回路
２０６  制御部
３０１  送信アンテナ部
３０２  変調回路
３０３  受信アンテナ部
３０４  復調回路
３０５  制御部
３０６  Ｉ／Ｆ部
３０７  電源
【図１】
2007043288.tif 000003
【図２】
2007043288.tif 000004
【図３】
2007043288.tif 000005
【図４】
2007043288.tif 000006
【図５】
2007043288.tif 000007
【図６】
2007043288.tif 000008